(57)【要約】      （修正有）【課題】簡単な構成で外部から不正に扉部材を開けようとしても扉部材が開くことがなく、確実に不正行為を防止することができる可変入賞装置及びそれを用いた遊技機を提供する。【解決手段】電気的駆動源１９により伝達手段２５，２６を介して扉部材１７を開閉する可変入賞装置１３であって、扉部材１７に伝達手段２５，２６と連係する操作部２２を扉部材１７の回転軸２１と偏心位置に設け、伝達手段２５，２６に電気的駆動源１９の非駆動時において操作部２２に対し所定ストローク単独で可動し得る間隙Ｃ２を存して係合する係合部３０と、操作部２２の回転軌道上に位置して操作部２２の回動を阻止するロック手段３１を設け、電気的駆動源１９の駆動時に伝達手段２５，２６の所定ストロークの単独運動で前記ロック手段３１が操作部２２の回転軌道上から離脱した後に操作部２２を回動させ、扉部材１７を開放するようにした。【選択図】図４
2008307103.tif 000002
【特許請求の範囲】
【請求項１】
台板に複数の遊技球が入賞し得る球入口が開設され、該球入口を開閉する扉部材を略水平に設けられた回転軸により開閉自在に軸支し、電気的駆動源の駆動力を伝達する伝達手段を介して前記扉部材を遊技球が入球可能な開放状態と遊技球が入球不可能な閉鎖状態とに変化する可変入賞装置であって、
前記扉部材に前記伝達手段と連係する操作部を該扉部材の回転軸と偏心した位置に設け、
前記伝達手段に前記操作部に対し所定ストローク単独で可動し得る間隙を存して係合する係合部と、前記電気的駆動源の非駆動時において前記操作部の回転軌道上に位置して該操作部の回動を阻止するロック手段を設け、
前記電気的駆動源の駆動時に前記伝達手段の所定ストロークの単独運動で前記ロック手段が前記操作部の回転軌道上から離脱した後に該操作部を回動させ、前記扉部材を開放するようにしたことを特徴とする可変入賞装置。
【請求項２】
前記係合部は所定の空隙を有して形成すると共に該係合部内に前記ロック手段を設けたことを特徴とする請求項１記載の可変入賞装置。
【請求項３】
台板に複数の遊技球が入賞し得る球入口が開設され、該球入口を開閉する扉部材を略水平に設けられた回転軸により開閉自在に軸支し、電気的駆動源の駆動力を伝達する伝達手段を介して前記扉部材を遊技球が入球可能な開放状態と遊技球が入球不可能な閉鎖状態とに変化する可変入賞装置であって、
前記伝達手段は前記電気的駆動源に連結される連結部材と、該連結部材に連係されると共に前記扉部材と連係して該扉部材を可動させる作動部材とで構成され、
前記連結部材に所定の空隙を有する連係部を設けると共に前記作動部材に該連係部と連係する作動部を設け、
前記連係部は所定ストローク単独で可動して前記作動部に係合する間隙を存して設けられると共に、前記電気的駆動源の非駆動時において前記作動部が可動する軌道上に位置して該作動部の回動を阻止するロック手段を設け、
前記電気的駆動源の駆動時に前記連結部材の所定ストロークの単独運動で前記ロック手段が前記作動部の軌道上から離脱した後に前記作動部材を可動させ、前記扉部材を開放するようにしたことを特徴とする可変入賞装置。
【請求項４】
請求項１乃至３のいずれかに記載の可変入賞装置を備えたことを特徴とする遊技機。
【発明の詳細な説明】
【技術分野】
【０００１】
本発明は、可変入賞装置及びそれを用いた遊技機に関し、特に回動可能に設けられる扉部材を外部操作によって開いて不当に賞球を獲得する不正行為を防止するための防犯機構を備えた可変入賞装置及びそれを用いた遊技機に関する。
【背景技術】
【０００２】
従来、パチンコ遊技機、アレパチ機等の弾球遊技機を含む種々の遊技機に設けられる可変入賞装置として、複数の遊技球が流入可能な球入口を扉部材により閉塞し、ソレノイドの励磁により扉部材を傾動して球入口を開放して打球を入り易くしたりするものがある。しかし、この可変入賞装置は、ソレノイドが作動していないときに、外部からピアノ線やセル板等の不正道具を遊技盤前面とガラス板との間に侵入させて扉部材に引掛けて、扉部材を無理矢理に開放できる構造である。そのため、不当に賞球を獲得する不正行為が多発したことから、外部から可変入賞装置の扉部材を開けようとしても扉部材が開かず不正行為を防止することができる可変入賞装置が提案されている（例えば、特許文献１参照。）。
【０００３】
【特許文献１】特開２０００−１７６０９８号公報
【発明の開示】
【発明が解決しようとする課題】
【０００４】
しかしながら、上記特許文献に記載の可変入賞装置は、扉部材が垂直状態のときに、該扉部材を不正に傾動させようとする力に抗して該扉部材を垂直状態に保持するためにロックレバーを別途設ける構成であるため、部品点数が多くなりコスト高になると共に構造が複雑となり組立作業が煩雑となるという問題があった。
【０００５】
本発明は、上記課題を解決するためになされたものであり、簡単な構成で外部から不正に球入口を開放しようとしても扉部材が傾動することがなく、確実に不正行為を防止することができる可変入賞装置及びそれを用いた遊技機を提供することを目的としている。
【課題を解決するための手段】
【０００６】
上記目的を達成するために、請求項１に記載の発明は、台板に複数の遊技球が入賞し得る球入口が開設され、該球入口を開閉する扉部材を略水平に設けられた回転軸により開閉自在に軸支し、電気的駆動源の駆動力を伝達する伝達手段を介して前記扉部材を遊技球が入球可能な開放状態と遊技球が入球不可能な閉鎖状態とに変化する可変入賞装置であって、前記扉部材に前記伝達手段と連係する操作部を該扉部材の回転軸と偏心した位置に設け、前記伝達手段に前記操作部に対し所定ストローク単独で可動し得る間隙を存して係合する係合部と、前記電気的駆動源の非駆動時において前記操作部の回転軌道上に位置して該操作部の回動を阻止するロック手段を設け、前記電気的駆動源の駆動時に前記伝達手段の所定ストロークの単独運動で前記ロック手段が前記操作部の回転軌道上から離脱した後に該操作部を回動させ、前記扉部材を開放するようにしたことを特徴とする。ここでいう「電気的駆動源」とは電気的信号を受けて可動体を操作するアクチュエータの総称であり、例えばモータ及びソレノイド等が電気的駆動源に相当する。
【０００７】
上記構成により、電気的駆動源の非駆動状態で扉部材が閉状態にあるとき、ロック手段により操作部の回転動作をロックして扉部材の開方向への回動を阻止する。そして、電気的駆動源が駆動して伝達手段が所定ストローク単独で可動すると、ロック手段が所定位置まで移動して操作部の回転軌道上から離脱することにより操作部とロック手段との干渉が回避されて操作部の回動阻止を解除し、その後係合部が操作部に接触係合して扉部材を回動させる。言い換えれば、扉部材は電気的駆動源の駆動力でのみ回動させることができる。このように構成することにより、電気的駆動源の非駆動状態で扉部材に開方向の無用な作用力が働いたとしても、操作部がロック手段にロックされて扉部材が開放することがない。
【０００８】
請求項２に記載の発明は、請求項１記載の発明において、前記係合部は所定の空隙を有して形成すると共に該係合部内に前記ロック手段を設けたことを特徴とする。係合部は、例えば所定の空隙を有して側面視略コ字状に形成すればよい。
【０００９】
請求項３に記載の発明は、台板に複数の遊技球が入賞し得る球入口が開設され、該球入口を開閉する扉部材を略水平に設けられた回転軸により開閉自在に軸支し、電気的駆動源の駆動力を伝達する伝達手段を介して前記扉部材を遊技球が入球可能な開放状態と遊技球が入球不可能な閉鎖状態とに変化する可変入賞装置であって、前記伝達手段は前記電気的駆動源に連結される連結部材と、該連結部材に連係されると共に前記扉部材と連係して該扉部材を可動させる作動部材とで構成され、前記連結部材に所定の空隙を有する連係部を設けると共に前記作動部材に該連係部に連係する作動部を設け、前記連係部は所定ストローク単独で可動して前記作動部に係合する間隙を存して設けられると共に、前記電気的駆動源の非駆動時において前記作動部が可動する軌道上に位置して該作動部の回動を阻止するロック手段を設け、前記電気的駆動源の駆動時に前記連結部材の所定ストロークの単独運動で前記ロック手段が前記作動部の軌道上から離脱した後に前記作動部材を可動させ、前記扉部材を開放するようにしたことを特徴とする。前記連結部材は例えば電気的駆動源の駆動方向と同方向に可動し、前記作動部材は前記連結部材の駆動方向を異なる運動方向に変更するように可動させ、電気的駆動源の駆動力を扉部材に伝達するようにすればよい。
【００１０】
請求項４に記載の発明は、請求項１乃至３のいずれかに記載の可変入賞装置を遊技機に備えたことを特徴とし、興趣に富みゲーム性の高い遊技機を実現することができるようになる。
【００１１】
また、前記ロック手段に面状の阻止部を形成すると共に前記操作部又は作動部に該阻止部と面接触し得る面状部を形成するのが好ましい。これにより、電気的駆動源の非駆動時に操作部又は作動部の面状部が面状の阻止部と面接触した状態で伝達手段の可動方向と異なる方向に作用力が働くため、扉部材を誤動作させることはなく、ロック効果が確実なものとなる。ここでいう面状部は、平坦面又は緩やかな円弧面を含むものである。
【００１２】
また、前記ロック手段の復動方向に相対する部位を前記操作部又は作動部側に向う傾斜面とするのが好ましく、伝達手段の復動時に操作部を復動方向に導くようにすればよい。
【００１３】
前記係合部及び連係部は、所定の空隙を備えた孔状に形成して、この空隙内にロック手段を設けるようにしてもよい。
【発明の効果】
【００１４】
本発明による可変入賞装置によると、電気的駆動源が非駆動状態で外部からピアノ線やセル板等の不正道具を用いて扉部材を開けようとしても扉部材が開かないため、賞球を不当に獲得する不正行為を確実に防止することができる。
【００１５】
また、既成の作動部材に僅かな設計変更を加えるのみで対応でき、簡単な構成によって可変入賞装置の通常の作動を確保しつつ不正行為を防止することができるので、不正防止用の部材を新たに作成する必要がなく、コストの低減化を図ることができる。
【発明を実施するための最良の形態】
【００１６】
以下、本発明の遊技機としてパチンコ遊技機の実施形態を図面を参照して説明する。図１は、本発明に係る可変入賞装置を設けたパチンコ遊技機の正面図、図２は可変入賞装置の一部切欠いて示す平面断面図である。パチンコ遊技機１００は、遊技場の設置枠に取付けるための外枠１を備え、その外枠１の正面一側にヒンジ機構を介して内枠２が回動可能に設けられ、他側をシリンダー錠等のロック機構によって開閉不能に施錠するようにしている。内枠２には、遊技盤４が装着されると共に、遊技盤４の正面を覆う透明板を備えた前面板６が回動可能に設けられている。また、前面板６の下方に位置する内枠２には遊技球を貯留し発射部に打球を供給する供給皿７と余剰球を貯留する貯留皿８とが設けられている。そして、貯留皿８の右側に打球の弾発力を調節する操作ハンドル９が設けられている。
【００１７】
遊技盤４は、略方形状に形成され、所定の幅員を有する誘導部材により前面板６の透明板との間に略円形の遊技領域４ａが形成され、その略中央領域に可変表示装置１１を設けている。そして、その下方に可変表示装置１１の画像を変動させる始動入賞口１２が設けられ、さらにその下方に本発明に係る可変入賞装置１３が設けられている。また、遊技領域４ａの最下端には入賞球とならなかった遊技球がアウト球として流出するアウト口１０が設けられている。可変入賞装置１３は、始動入賞口１２に遊技球が入賞して図示しない検知スイッチによりその遊技球の通過を検知すると抽選が行われ、その結果が「当たり」等の所定条件で可変表示装置１１の表示部に特定の図柄が表示され、遊技者に「当たり」を報知した後に駆動するように設定される。
【００１８】
可変入賞装置１３は、複数の遊技球が入賞可能な球入口１６が横長状に開設される台板１５の後方に電気的駆動源としてソレノイド１９が組み付けられ、その前面に球入口１６を閉塞する矩形状の扉部材１７が開閉自在に軸支された枠体１８が設けられている。ソレノイド１９の駆動力は伝達手段を介して扉部材１７に伝達され、ソレノイド１９の駆動により扉部材１７を開放した第一状態と扉部材１７を閉鎖した第二状態とに変位する。
【００１９】
扉部材１７は、両側縁に後側へ直交状に屈曲する鍔片２０が設けられ、球入口１６の下縁部に位置し鍔片２０の前部下方に台板１５と平行であり水平状に回転軸２１が設けられる。そして、一方（実施例において正面視して左側）の鍔片２０の外側には回転軸２１と偏心し回転軸２１より下方位置に伝達手段と連係する操作部として軸状の係合突起２２が突設される。扉部材１７は、起立状態で重心が係合突起２２側に位置し閉方向に付勢しており、傾動状態では重心位置が開方向に付勢するように設定され、実施例において係合突起２２が回転軸２１を通る水平線を跨ぐことにより、扉部材１７が開方向又は閉方向へ付勢されるようにしている。
【００２０】
また、ソレノイド１９は台板１５に対して略直交するように枠体１８に水平に配置され、可変入賞装置１３を遊技盤４に装着した際にスプリング２３を装着したプランジャ２４が前後方向に進退動するように設けられる。
【００２１】
ソレノイド１９の駆動力を扉部材１７に伝達する伝達手段は、図４に示すようにプランジャ２４の前端部のフランジに設けられる連結部材２５と、扉部材１７と連係する作動部材２６とを連係して構成される。そして、連結部材２５はソレノイド１９の駆動により進退運動するプランジャ２４に連動してソレノイド１９の駆動方向と同方向の水平方向に直線運動し、作動部材２６は連結部材２５の進退運動を上下方向の回転運動に変換して扉部材１７を開閉させる。具体的には連結部材２５は、プランジャ２４のフランジに嵌着される取付部２５ａに直交して連動片２５ｂが平面視略Ｌ字状に形成され、連動片２５ｂの上部に連係部として扉部材１７の回転軸２１と平行状の連結ピン２７が突設され、上下中間部に前後方向の長孔３５が形成されている。作動部材２６は、扉部材１７の回転軸２１と平行な支軸部２８が枠体１８に支持されて上下方向に回動自在に設けられる。支軸部２８は、連結部材２５の長孔３５に遊挿され、連結部材２５が進退する際のガイドの役割をなしている。また、支軸部２８の上方に位置して連結部材２５の連結ピン２７に連係する作動部として連結ピン２７が遊嵌される上向き開口した作動溝２９が設けられ、先端に扉部材１７の係合突起２２に係合する上下係合片により所定の空隙Ｃ１を有した側面視コ字状の係合部３０が形成されている。係合部３０の上係合片と下係合片との間隔は、係合突起２２に対し所定ストローク単独で可動し得る間隙Ｃ２を存して設けられ、ソレノイド１９の非駆動時において係合突起２２の回転軌道上に位置して係合突起２２の回動を阻止するロック手段としてのストッパー３１を係合部３０の空隙Ｃ１内に膨出して設けている。つまり、作動部材２６が間隙Ｃ２のストロークだけ単独で可動することにより、ストッパー３１が係合突起２２の回転軌道上から離脱して、係合部３０が係合突起２２に係合することで扉部材１７が開閉し得るように、作動部材２６の作動時に係合突起２２がストッパー３１の下方に臨み得る空間部が形成され、係合部３０の空隙Ｃ１形状は鉤状をなしている。また、ストッパー３１は係合突起２２が当接する平面状の阻止部３１ａが形成されている。そして、係合突起２２は常に係合部３０の空隙Ｃ１内に位置して、係合部３０により係合突起２２を確実に作動させるようにしている。また、連結部材２５の進退動する距離を規制することにより作動部材２６の回動範囲を規制するようにして、作動部材２６が無用に過回動して係合部３０と扉部材１７の係合突起２２との連係が外れないようにしている。
【００２２】
枠体１８は上下に分割して形成され、扉部材１７の回転軸２１及び作動部材２６の支軸部２８が上下枠体の軸受部に挟持されることで扉部材１７及び作動部材２６が回動自在に支持される（図２参照）。また、扉部材１７で受け止めた遊技球が入賞する入賞口を供えた入賞領域部１８ａとソレノイド１９の進退運動を回転運動に変換する作動部材２６が収納される収納部１８ｂとを区画形成している。なお、枠体１８は前後に分割形成して、前半体を台板１５と一体に形成するようにしてもよい。
【００２３】
上記構成の可変入賞装置１３は、ロック効果を確実なものとするために、係合突起２２は扉部材１７の回転軸２１と作動部材２６の支軸部２８とを結んだ仮想直線上から下方にずれた位置にあり、扉部材１７の開放時に係合突起２２は仮想直線に向かって可動する。つまり、図５に示すように扉部材１７の回転軸２１の中心から係合突起２２とストッパー３１との接触点Ｐまでの距離Ｌ１と作動部材２６の支軸部２８の中心から係合突起２２とストッパー３１との接触点Ｐまでの距離Ｌ２の和が回転軸２１の中心と作動部材２６の支軸部２８の中心とを結んだ直線距離Ｌより大となるように設定すると共に、接触点Ｐにおける扉部材１７からの作用力の方向が支軸部２８より下方に向かうようにストッパー３１の阻止部３１ａを設けている。このため、扉部材１７を無理やり開放しようとすると作動部材２６のストッパー３１により係合突起２２の動作が遮断され、扉部材１７からの作用力では作動部材２６を可動させることができず、扉部材１７が無用に開放することはない。
【００２４】
次に、上記構成の可変入賞装置１３の動作を説明する。ソレノイド１９が消磁した常態では、プランジャ２４は図４（イ）に示すようにスプリング２３の付勢により前進位置にあり、これに伴い連結部材２５が前進すると共に作動部材２６が下向回動しており、ストッパー３１が係合突起２２に近接位置すると共に係合突起２２の回転軌道上に位置している。このとき、係合突起２２の回転動作がストッパー３１により阻止されることにより扉部材１７の無用な回転運動が阻止されて、扉部材１７は起立状態を保持し、遊技球を受け入れない閉状態としている。
【００２５】
そして、所定の条件でソレノイド１９が励磁すると、プランジャ２４はスプリング２３の付勢に抗して後退し連結部材２５の連結ピン２７と作動溝２９の係合により、作動部材２６は支軸部２８を中心に上向き回動する。これに伴いストッパー３１が係合突起２２から離間して所定位置まで移動すると、図４（ロ）に示すように係合突起２２の回転軌道上から離脱して係合突起２２の回動阻止を解除する。そして、係合突起２２がストッパー３１の回動阻止から解除されると、係合部３０が係合突起２２に当接係合して係合突起２２を押し上げてゆき、図４（ハ）に示すように係合突起２２はストッパー３１の下方に臨むように回動し、係合突起２２が所定位置（例えば係合突起２２の高さ位置が回転軸２１の高さ位置を越える）まで回動されると、扉部材１７は自重により回転軸２１を中心として開方向へ回動する。そして、図４（ハ）に示すように、扉部材１７は遊技球が入賞し易い全開状態となる。なお、扉部材１７が作動部材２６の揺動運動により回動し、図４（ロ），（ハ）に示す閉状態から開状態になるまでの間において、係合突起２２はストッパー３１より下方に位置することになり、ストッパー３１の阻止部３１ａと干渉することはない。
【００２６】
そして、所定時間経過後又は球入口１６に所定個数入賞した後に、ソレノイド１９が消磁して作動を解除すると、プランジャ２４がスプリング２３の付勢により前進位置まで戻ると共に連結部材２５が復動し、係合突起２２がストッパー３１の下面により下方に押圧されることで扉部材１７が復動し始め、係合突起２２が所定位置（例えば回転軸２１と同じ高さ位置）まで回動されると、扉部材１７の自重により図４（イ）に示す閉状態に復帰し、係合突起２２がストッパー３１の側方位置に移動し回動阻止される。
【００２７】
一方、図４（イ）に示す扉部材１７の閉状態において、扉部材１７の上端にピアノ線又はセル板等の不正道具を引掛けて、扉部材１７を無理矢理に開けようとする強制操作力が加えられたとしても、係合突起２２が回転軸２１を中心として回動し始めようとするも、係合突起２２がストッパー３１の阻止部３１ａに当接する。このとき、作用力は支軸部２８に向かって働くため、係合突起２２は扉部材１７の開方向への動作が阻止され回動することができず、扉部材１７が開放しないため不正に遊技球を球入口１６に入賞させる行為を防ぐことができる。また、ストッパー３１の阻止部３１ａを支軸部２８を中心とした円弧面とするのがよく、係合突起２２が阻止部３１ａに作用力を及ぼすときには、作用力が確実に支軸部２８に向かうことになり、作動部材２６を回動させることがなく、不正行為を確実に防ぐことになる。
【００２８】
以上説明したように、本実施形態に係る可変入賞装置１３は、電気的駆動源の駆動力を伝達する伝達手段に扉部材１７に設けた係合突起２２の回動を阻止するストッパー３１を係合部３０内に設けたので、電気的駆動源が非駆動状態で扉部材１７を開放しようとしても係合突起２２がストッパー３１に衝止し、扉部材１７の開方向への回動が阻止される。そして、電気的駆動源の駆動時にはストッパー３１の回動阻止を解除して扉部材１７が開放される。つまり、扉部材１７は電気的駆動源の駆動時にのみ可動し、作動部材２６の操作力によって開放される。
【００２９】
このように、本実施形態に係る可変入賞装置１３は、既成の作動部材２６に僅かな設計変更を加えるのみで対応できるので、簡単な構成によって可変入賞装置１３の通常の作動を確保しつつ不正行為を防止することができる。そして、係合突起２２に係合する係合部３０を間隙Ｃ２を備えて形成することにより、ストッパー３１を係合突起２２の変位経路から退避させることができ、扉部材１７の回動開始の時間差を生じさせることができるため、可変入賞装置１３の構成は簡素化が図れ、装置の軽量化，コンパクト化等に寄与する。また、不正防止用の新たな金型等を作成する必要がなく、コストの低減化を図ることができる。
【００３０】
なお、実施例において、操作部を円柱軸状の係合突起２２としたが、係合突起２２にストッパー３１の阻止部３１ａと面接触し得る面状部を形成するようにしてもよい。電気的駆動源の非駆動時に係合突起２２の面状部がストッパー３１の阻止部３１ａと面接触した状態で、係合突起２２の押圧による作用力が作動部材２６の可動方向である上下方向と異なる横方向に働くため、作動部材２６を誤動作させることはなくロック効果が確実なものとなる。なお、面状部は必ずしも平坦面に限られることなく、緩やかな円弧面としてもよい。例えばストッパー３１の阻止部３１ａ及び係合突起２２の面状部を作動部材２６の支軸部２８を中心とした円弧面とすればよい。また、係合突起２２に面状部を形成し、ストッパー３１の阻止部３１ａを係合突起２２の面状部と線又は点接触し得る円弧状等の形状にしても同様にロック効果を奏することができる。
【００３１】
また、上記実施例において、連結部材２５と作動部材２６との連係を連係ピン２７と作動溝２９との連係により可動するようにしたが、図６に示すように連結部材２５の下面に形成したギア２７ａと作動部材２６の周面に形成したギア２９ａとの噛合により連係するようにしてもよい。連結部材２５と作動部材２６との連係をギア２７ａ，２９ａの噛合とすることによりソレノイド１９の駆動力を扉部材１７に確実に伝達することができる。なお、この実施例においても前記実施例と同様に扉部材１７は、同図実線位置から鎖線位置又は鎖線位置から実線位置に変位する際に、係合突起２２が所定位置（例えば回転軸２１の高さ位置）になると重心位置により実線位置方向（閉方向）に付勢したり鎖線位置方向（開方向）に付勢したりするようにしている。
【００３２】
また、図７に示すように伝達手段として連結部材２５を設けることなく、プランジャ２４自体に連係部としてフランジにより連係部３６を形成し、作動部材２６に作動部としての作動ピン３７を突設し、この作動ピン３７を連係部３６に直接収容保持してプランジャ２４と作動部材２６とを共動可能に連繋し、ソレノイド１９の駆動力を作動部材２６を介して扉部材１７に伝達するようにしてもよい。このようにすることにより、部品点数が少なくなりコストの低減化をはかることができる。また、係合部３０を側面視コ字状に形成したが、係合部３０を所定の空隙を有する係止孔として形成すると共にこの係止孔の空隙内にストッパー３１を設けるようにしてもよい。
【００３３】
なお、実施例においてソレノイド１９を台板１５に対して直交する水平状に設けたが、台板１５に対して平行でありプランジャ２４が水平方向に進退するように水平状に設けるようにしてもよい。さらに、ソレノイド１９を台板１５に対して平行であり可変入賞装置１３を遊技盤４に装着した際に、プランジャ２４が鉛直方向に進退するように設けるようにしてもよく、例えば図８に示すように伝達手段として扉部材１７と連係する作動部材２６をプランジャ２４に設けると共に、該作動部材２６に扉部材１７の係合突起２２と係合する係合部３０を設け、作動部材２６の上下動により扉部材１７が同図実線位置と鎖線位置とに開閉するようにすればよい。係合部３０は前記実施例と同様に先端を略同一面とした側面視コ字状に形成され、この係合部３０内にロック手段としてのストッパー３１がソレノイド１９の非駆動時に係合突起２２の回動を阻止する位置、即ち係合突起２２の回転軌道上に位置して段状に形成している。ストッパー３１は、略垂直状の阻止部３１ａの下方を切欠して係合突起２２が復動時に阻止部３１ａと干渉しないようにしている。なお、この実施例において、係合突起２２にストッパー３１の阻止部３１ａと面接触し得るように平坦面を形成している。また、ソレノイド１９を取付けた枠体１８に、作動部材２６が後方（図８では左方向）へ移動するのを防止する規制手段として規制リブ３３ａを設け、さらに枠体１８の収納部１８ｂ後壁に作動部材２６と点接触する規制突起３３ｂを設けている。したがって、不正な外力により扉部材１７を開放しようと操作され係合突起２２がストッパー３１を押圧しても、規制リブ３３ａ及び規制突起３３ｂにより作動部材２６が係合突起２２による押圧方向（図上横方向）への移動が規制されるため、係合突起２２が回動することができず扉部材１７を開放させることができない。なお、この規制リブ３３ａ及び規制突起３３ｂは、ソレノイド１９の駆動時に作動部材２６を上下にスムーズに可動させるガイド部の役割も果たしている。
【００３４】
なお、実施例では扉部材１７の鍔片２０に係合突起２２を設けると共に作動部材２６に間隙Ｃ２を有する係合部３０を設けるようにしたが、作動部材２６に係合突起２２を設け、鍔片２０に間隙Ｃ２を有すると共にストッパー３１を形成した鉤状の係合部３０を設けるようにしてもよく、同様の作用効果を奏することができる。
【００３５】
図９はロック手段の他の実施例を示し、前記実施例と同じ構成には同一符号を付して説明する。この実施例では、扉部材１７の可動を直接ロックするのではなく、連結部材２５と作動部材２６と連係する連結部３８にロック手段を設けて間接的に扉部材１７の可動をロックするようにしている。この実施例のロック手段は、扉部材１７の回転軸２１と平行状に作動部材２６に設けられた作動部としての作動ピン３７の可動を規制することにより扉部材１７の回動を阻止するようにしている。具体的には、図９（イ）に示すように連動片２５ｂの先端部に連結部３８を作動ピン３７に対して所定ストローク単独で進退する間隙Ｃ２を存して遊挿し得る逆Ｕ字状に形成され、該連結部３８にソレノイド１９の非駆動時に作動部材２６の作動ピン３７の回動を阻止し得るロック手段として下面に所定幅の阻止部３１ａを有するストッパー３１を、作動ピン３７の回転軌道上に位置して、空隙Ｃ１内に膨出して設けている。連結部３８の空隙Ｃ１の巾は作動ピン３７を連結部３８に遊挿した時に、作動ピン３７と一側内面との間に所定の間隙Ｃ２を有するように設定され、作動部材２６がその間隙Ｃ２のストロークだけ単独で進退することにより、作動ピン３７がストッパー３１から解放され作動部材２６が回動し得るようにしている。なお、作動部材２６は、図示しない規制部材により下向き回動範囲が規制されている。また、ストッパー３１の復動方向に相対する側面（図上右側）は左下に向かって傾斜する傾斜面と形成して、この傾斜面で作動ピン３７を回動方向に押圧して作動部材２６が復動し易いようにしている。３３ｃは連結部材２５の進退方向を規制するガイド部であり、このガイド部３３ｃは、ソレノイド２１に接触してビス等により固着された金属製の放熱板を延出して形成されている。このガイド部３３ｃを設けることにより、放熱面も増えることになるため放熱効率の向上を図ることができる。
【００３６】
次に上記構成の可変入賞装置１３の動作を説明する。ソレノイド１９が消磁した常態では、連結部材２５は図９（イ）に示すようにスプリング２３の付勢により前進位置にあり、作動部材２６は自重により下向回動して係合部３０が係合突起２２を押し下げることにより扉部材１７を起立状態に保持し、ストッパー３１が作動ピン３７の回転軌道上である上方に近接位置している。このとき、作動ピン３７の回転動作がストッパー３１の阻止部３１ａにより阻止されることにより扉部材１７の無用な回転運動が阻止されて、扉部材１７は起立状態を保持し、遊技球を受け入れない閉状態としている。
【００３７】
そして、ソレノイド１９が励磁すると、プランジャ２４はスプリング２３の付勢に抗して後退し、これに伴い図９（ロ）に示すように連結部材２５が所定位置まで後退すると、ストッパー３１が作動ピン３７から離間するように移動し作動ピン３７の回転軌道上から離脱して、作動ピン３７の回動阻止が解除される。そして、作動ピン３７がストッパー３１の回動阻止から解除されると、連結部３８の押圧面が作動ピン３７に当接係合して作動ピン３７を引いてゆき、図９（ハ）に示すように作動ピン３７が回動することにより作動部材２６は支軸部２８を中心として上方向へ回動し、係合部３０が係合突起２２に当接係合して係合突起２２を押し上げてゆき、扉部材１７は自重により回転軸２１を中心として開方向へ回動して遊技球が入賞し易い全開状態となる。このとき、作動ピン３７はストッパー３１の側方に位置している。
【００３８】
その後、ソレノイド１９を消磁して作動を解除すると、プランジャ２４がスプリング２３の付勢により前進すると同時にストッパー３１の側面で作動ピン３７を押して作動部材２６を下向き回動させ、それに伴い扉部材１７が図９（イ）に示すように起立して閉状態となる。
【００３９】
一方、図９（イ）に示すソレノイド１９の非励磁の常態で、不正目的で扉部材１７の上端にピアノ線又はセル板等の不正具を引掛けて、扉部材１７を無理矢理に開放させようとする強制操作力が加えられると、係合突起２２が係合部３０を介して作動部材２６を回動させようとするが、作動ピン３７がストッパー３１の阻止部３１ａに当接して回動が阻止されロック効果が保たれる。このため、扉部材１７が開放されず、入賞球を不当に獲得する不正行為を確実に防止することができる。なお、不正な外力により扉部材１７を開放しようと操作された際に、作動ピン３７がストッパー３１を押圧しても、ガイド部３３ｃにより連結部材２５が押圧方向（図上上方向）への移動が規制され、作動ピン３７の回動を確実に阻止している。
【００４０】
このように、電気的駆動源の駆動力を伝達する連結部材２５と作動部材２６の連結部３８に扉部材１７の可動を阻止するストッパー３１を設ける簡単な構造で、電気的駆動源が非駆動状態で扉部材１７に対して開放方向の外部力が加えられた時、作動ピン３７がストッパー３１に衝止し、扉部材１７の回動が阻止されるロック手段を備えることができる。
【００４１】
なお、上記実施例において扉部材１７と伝達手段とを係合部３０と係合突起２２との係合により連係するようにしたが、図１０に示すように扉部材１７の鍔片２０の周面に形成したギア２２ａと作動部材２６の周面に形成したギア３０ａとの噛合により連係するようにしてもよい。
【００４２】
この実施例において、前記実施例と異なる点は作動部材２６と扉部材１７との連係手段と、ソレノイド１９の駆動方向であり、他の同じ構成には同一符号を付して説明する。この実施例では、ソレノイド１９は扉部材１７に対して略直交して設けられ、ソレノイド１９の励磁によりプランジャ２４が前進するように設けられている。そのため、連結部３８は所定の空隙Ｃ１を存したＵ字状に形成され、作動部材２６の作動ピン３７の回動を阻止し得るストッパー３１を作動ピン３７の回転軌道上であり連結部３８の扉部材１７側に設けている。そして、作動部材２６は、常態で図上右回転方向に付勢するように重心設定するのが好ましく、例えば作動部材２６復帰用重り等設けることにより、ソレノイド１９の消磁のとき、ソレノイド１９のプランジャ２４がスプリング２３の付勢力で戻されるとともに作動部材２６も連結部材２５で引っ張られる力と重りの自重作用による助力で元の位置に確実に戻される。このため、スプリング２３を付勢力の弱いものとすることができ、コストの低減化に寄与することができる。
【００４３】
この実施例の可変入賞装置１３は、図１０（イ）に示すようにソレノイド１９が消磁した常態でストッパー３１の上部阻止部３１ａの上方に作動ピン３７が位置している。そして、ソレノイド１９が励磁すると、プランジャ２４はスプリング２３の付勢に抗して前進し、これに伴い図１０（ロ）に示すように連結部材２５が所定位置まで前進して、ストッパー３１が作動ピン３７から離間するように間隙Ｃ２の距離分移動し作動ピン３７の回転軌道上から離脱すると、作動ピン３７の回動阻止が解除される。そして、作動ピン３７がストッパー３１の回動阻止から解除されると、連結部３８の後部押圧面が作動ピン３７に当接係合して作動ピン３７を前方に押してゆき、図１０（ハ）に示すように作動ピン３７が回動することにより作動部材２６は支軸部２８を中心として後方回動し、作動部材２６のギア３０ａと扉部材１７のギア２２ａとの噛合により、扉部材１７が回転軸２１を中心として開方向へ回動して遊技球が入賞し易い全開状態となる。このとき、作動ピン３７はストッパー３１の側方に位置している。
【００４４】
その後、ソレノイド１９を消磁して作動を解除すると、プランジャ２４がスプリング２３の付勢により後退すると同時にストッパー３１の側面で作動ピン３７を押して作動部材２６を前回動させ、それに伴い扉部材１７が図１０（イ）に示すように起立して閉状態となる。
【００４５】
一方、図１０（イ）に示すソレノイド１９の非励磁の常態で、不正目的で扉部材１７の上端にピアノ線又はセル板等の不正具を引掛けて、扉部材１７を無理矢理に開放させようとする強制操作力が加えられると、ギア２２ａ，３０ａの噛合により作動部材２６を回動させようとするが、作動ピン３７がストッパー３１の阻止部３１ａに当接して回動が阻止されロック効果が保たれる。このとき、ガイド部３３ｃにより連結部材２５は作動ピン３７の押圧方向に撓んだり移動したりしないため、不正行為を確実に防止することができる。
【００４６】
また、電気的駆動源をソレノイド１９としたが、正逆モータ，ロータリーソレノイドであってもよい。電気的駆動源を正逆モータ，ロータリーソレノイドとした場合には、例えば上記実施例に示した作動部材２６の軸支部に電気的駆動源の駆動軸を固着し、駆動源を正逆回転させることにより作動部材２６を揺動させ扉部材１７を開閉させることができる。なお、正逆モータ，ロータリーソレノイドに偏心カムを設け、偏心カムを作動部材２６の偏心位置に連係させて作動部材２６を揺動させるようにすることも可能である。
【００４７】
本発明は、実施例において遊技機をパチンコ遊技機として説明したが、遊技球を遊技媒体とする雀球遊技機，アレンジボール式遊技機等の弾球遊技機にも適応可能である。
【図面の簡単な説明】
【００４８】
【図１】パチンコ遊技機の正面図である。
【図２】可変入賞装置の一部切欠いて示す平面断面図である。
【図３】ソレノイドと扉部材との関連を示す要部分解斜視図である。
【図４】（イ）〜（ハ）は、可変入賞装置の扉部材の開閉動作を示す側面作用図である。
【図５】扉部材と作動部材の関係を示す説明図である。
【図６】可変入賞装置の他の実施例の側断面図である。
【図７】さらに可変入賞装置の他の実施例の側断面図である。
【図８】さらに可変入賞装置の他の実施例の側断面図である。
【図９】（イ）〜（ハ）は、可変入賞装置の他の実施例の扉部材の開閉動作を示す側面作用図である。
【図１０】（イ）〜（ハ）は、さらに可変入賞装置の他の実施例の扉部材の開閉動作を示す側面作用図である。
【符号の説明】
【００４９】
１３    可変入賞装置
１５    台板
１６    球入口
１７    扉部材
１９    ソレノイド（電気駆動源）
２１    回転軸
２２    係合突起（操作部）
２５    連結部材（伝達手段）
２６    作動部材（伝達手段）
２７    連結ピン（連係部）
２９    作動溝（作動部）
３０    係合部
３１    ストッパー（ロック手段）
３６    連係部
３７    作動ピン（作動部）
３８    連結部（連係部）
１００  パチンコ遊技機（遊技機）
Ｃ１    空隙
Ｃ２    間隙
【図１】
2008307103.tif 000003
【図２】
2008307103.tif 000004
【図３】
2008307103.tif 000005
【図４】
2008307103.tif 000006
【図５】
2008307103.tif 000007
【図６】
2008307103.tif 000008
【図７】
2008307103.tif 000009
【図８】
2008307103.tif 000010
【図９】
2008307103.tif 000011
【図１０】
2008307103.tif 000012